(57)【要約】【課題】局所的な傷があるといったような特別な場合に限らず、光ディスクに記録された情報を再生中において、イコライザ設定を切り替える際に起こり得る再生能力の低下を未然に防止でき、高品質な再生が可能な光ディスク装置を提供する。【解決手段】イコライザ特性切り替え信号が取得されている状態で（Ｓ３のＹ）、常に２つのイコライザ回路の出力信号の平均電圧レベル同士を比較し、その差が閾値範囲内に収まり次第（Ｓ４のＹ）、伝送路上に接続するイコライザ回路を切り替える（Ｓ５）ことにより、局所的な傷があるといったような特別な場合に限らず、イコライザ特性の設定変更を適正に行える。また、イコライザ回路を切り替えイコライザ設定を変更してもイコライザ回路通過後の再生信号が同程度のレベルであることが保証されているので、イコライザ設定変更後に再生能力が低下してしまうことを未然に防止でき、高品質な再生の実現が期待できる。【選択図】        図３
2005050408.tif 000002
【特許請求の範囲】
【請求項１】
光ディスクを回転駆動する駆動源と、
光源及び対物レンズを有して前記光ディスクにレーザ光を照射するとともに前記光ディスクからの反射光を受光する光ピックアップと、
前記反射光に基づく再生信号の伝送路上に並列に配置されて各々独立してイコライザ特性の制御が可能な２つのイコライザ回路と、
これらのイコライザのイコライザ特性を制御するイコライザ制御手段と、
これらのイコライザの何れか一方のみを前記伝送路上に接続して他方を伝送路上から切り離すスイッチング手段と、
これらのイコライザ回路に対して前記イコライザ制御手段によりそのイコライザ特性中の周波数特性を１段階異ならせて設定するとともに前記スイッチング手段により周波数特性が１段階低い方のイコライザ回路を伝送路上に接続し他方のイコライザ回路を伝送路上から切り離す初期設定手段と、
前記光ディスクから読み取った線速度情報に基づいてイコライザ特性切り替え信号を取得する切り替え信号取得手段と、
前記イコライザ特性切り替え信号が取得されている状態で前記２つのイコライザ回路から整形されて出力される出力信号の平均電圧レベル同士を比較する比較手段と、
比較の結果、これらの平均電圧レベルの差が閾値範囲内に収まったことが検出された時点で、伝送路上に接続するイコライザ回路を前記スイッチング手段により切り替えるとともに切り離された側のイコライザ回路の周波数特性を前記イコライザ制御手段により他方よりも１段階高く設定する更新設定手段と、
を備えることを特徴とする光ディスク装置。
【請求項２】
光ディスクを回転駆動する駆動源と、
光源及び対物レンズを有して前記光ディスクにレーザ光を照射するとともに前記光ディスクからの反射光を受光する光ピックアップと、
前記反射光に基づく再生信号の伝送路上に並列に配置されて各々独立してイコライザ特性の制御が可能な２つのイコライザ回路と、
これらのイコライザのイコライザ特性を制御するイコライザ制御手段と、
これらのイコライザの何れか一方のみを前記伝送路上に接続して他方を伝送路上から切り離すスイッチング手段と、
これらのイコライザ回路に対して前記イコライザ制御手段によりそのイコライザ特性中の周波数特性を１段階異ならせて設定するとともに前記スイッチング手段により周波数特性が１段階低い方のイコライザ回路を伝送路上に接続し他方のイコライザ回路を伝送路上から切り離す初期設定手段と、
前記光ディスクから読み取った線速度情報に基づいてイコライザ特性切り替え信号を取得する切り替え信号取得手段と、
前記イコライザ特性切り替え信号が取得されている状態で前記２つのイコライザ回路から整形されて出力される再生信号の平均エラーレベル同士を比較する比較手段と、
比較の結果、これらの平均エラーレベルの差が閾値範囲内に収まったことが検出された時点で、伝送路上に接続するイコライザ回路を前記スイッチング手段により切り替えるとともに切り離された側のイコライザ回路の周波数特性を前記イコライザ制御手段により他方よりも１段階高く設定する更新設定手段と、
を備えることを特徴とする光ディスク装置。
【請求項３】
光ディスクを回転駆動する駆動源と、
光源及び対物レンズを有して前記光ディスクにレーザ光を照射するとともに前記光ディスクからの反射光を受光する光ピックアップと、
前記反射光に基づく再生信号の伝送路上に並列に配置されて各々独立してイコライザ特性の制御が可能な２つのイコライザ回路と、
これらのイコライザのイコライザ特性を制御するイコライザ制御手段と、
これらのイコライザの何れか一方のみを前記伝送路上に接続して他方を伝送路上から切り離すスイッチング手段と、
これらのイコライザ回路に対して前記イコライザ制御手段によりそのイコライザ特性中の周波数特性を１段階異ならせて設定するとともに前記スイッチング手段により周波数特性が１段階低い方のイコライザ回路を伝送路上に接続し他方のイコライザ回路を伝送路上から切り離す初期設定手段と、
前記２つのイコライザ回路から整形されて出力される出力信号の平均電圧レベル同士を比較する比較手段と、
比較の結果、これらの平均電圧レベルの差が閾値範囲内に収まったことが検出された時点で、伝送路上に接続するイコライザ回路を前記スイッチング手段により切り替えるとともに切り離された側のイコライザ回路の周波数特性を前記イコライザ制御手段により他方よりも１段階高く設定する更新設定手段と、
を備えることを特徴とする光ディスク装置。
【請求項４】
光ディスクを回転駆動する駆動源と、
光源及び対物レンズを有して前記光ディスクにレーザ光を照射するとともに前記光ディスクからの反射光を受光する光ピックアップと、
前記反射光に基づく再生信号の伝送路上に並列に配置されて各々独立してイコライザ特性の制御が可能な２つのイコライザ回路と、
これらのイコライザのイコライザ特性を制御するイコライザ制御手段と、
これらのイコライザの何れか一方のみを前記伝送路上に接続して他方を伝送路上から切り離すスイッチング手段と、
これらのイコライザ回路に対して前記イコライザ制御手段によりそのイコライザ特性中の周波数特性を１段階異ならせて設定するとともに前記スイッチング手段により周波数特性が１段階低い方のイコライザ回路を伝送路上に接続し他方のイコライザ回路を伝送路上から切り離す初期設定手段と、
前記２つのイコライザ回路から整形されて出力される再生信号の平均エラーレベル同士を比較する比較手段と、
比較の結果、これらの平均エラーレベルの差が閾値範囲内に収まったことが検出された時点で、伝送路上に接続するイコライザ回路を前記スイッチング手段により切り替えるとともに切り離された側のイコライザ回路の周波数特性を前記イコライザ制御手段により他方よりも１段階高く設定する更新設定手段と、
を備えることを特徴とする光ディスク装置。
【請求項５】
光ディスクを回転駆動する駆動源と、
光源及び対物レンズを有して前記光ディスクにレーザ光を照射するとともに前記光ディスクからの反射光を受光する光ピックアップと、
前記反射光に基づく再生信号の伝送路上に並列に配置されてそのイコライザ特性中の周波数特性が１段階ずつ異ならせて設定された複数のイコライザ回路と、
これらのイコライザの何れか一つのみを前記伝送路上に接続して他を伝送路上から切り離すスイッチング手段と、
これらのイコライザ回路に対して前記スイッチング手段により周波数特性が一番低いイコライザ回路を伝送路上に接続し他のイコライザ回路を伝送路上から切り離す接続初期設定手段と、
前記光ディスクから読み取った線速度情報に基づいてイコライザ特性切り替え信号を取得する切り替え信号取得手段と、
前記イコライザ特性切り替え信号が取得されている状態で伝送路上に接続されているイコライザ回路とこのイコライザ回路に対して周波数特性が１段階高いイコライザ回路とから整形されて出力される出力信号の平均電圧レベル同士を比較する比較手段と、
比較の結果、これらの平均電圧レベルの差が閾値範囲内に収まったことが検出された時点で、周波数特性が１段階高い当該イコライザ回路を伝送路上に接続するように前記スイッチング手段により切り替える接続更新設定手段と、
を備えることを特徴とする光ディスク装置。
【請求項６】
光ディスクを回転駆動する駆動源と、
光源及び対物レンズを有して前記光ディスクにレーザ光を照射するとともに前記光ディスクからの反射光を受光する光ピックアップと、
前記反射光に基づく再生信号の伝送路上に並列に配置されてそのイコライザ特性中の周波数特性が１段階ずつ異ならせて設定された複数のイコライザ回路と、
これらのイコライザの何れか一つのみを前記伝送路上に接続して他を伝送路上から切り離すスイッチング手段と、
これらのイコライザ回路に対して前記スイッチング手段により周波数特性が一番低いイコライザ回路を伝送路上に接続し他のイコライザ回路を伝送路上から切り離す接続初期設定手段と、
前記光ディスクから読み取った線速度情報に基づいてイコライザ特性切り替え信号を取得する切り替え信号取得手段と、
前記イコライザ特性切り替え信号が取得されている状態で伝送路上に接続されているイコライザ回路とこのイコライザ回路に対して周波数特性が１段階高いイコライザ回路とから整形されて出力される再生信号の平均エラーレベル同士を比較する比較手段と、
比較の結果、これらの平均エラーレベルの差が閾値範囲内に収まったことが検出された時点で、周波数特性が１段階高い当該イコライザ回路を伝送路上に接続するように前記スイッチング手段により切り替える接続更新設定手段と、
を備えることを特徴とする光ディスク装置。
【請求項７】
光ディスクを回転駆動する駆動源と、
光源及び対物レンズを有して前記光ディスクにレーザ光を照射するとともに前記光ディスクからの反射光を受光する光ピックアップと、
前記反射光に基づく再生信号の伝送路上に並列に配置されてそのイコライザ特性中の周波数特性が１段階ずつ異ならせて設定された複数のイコライザ回路と、
これらのイコライザの何れか一つのみを前記伝送路上に接続して他を伝送路上から切り離すスイッチング手段と、
これらのイコライザ回路に対して前記スイッチング手段により周波数特性が一番低いイコライザ回路を伝送路上に接続し他のイコライザ回路を伝送路上から切り離す接続初期設定手段と、
伝送路上に接続されているイコライザ回路とこのイコライザ回路に対して周波数特性が１段階高いイコライザ回路とから整形されて出力される出力信号の平均電圧レベル同士を比較する比較手段と、
比較の結果、これらの平均電圧レベルの差が閾値範囲内に収まったことが検出された時点で、周波数特性が１段階高い当該イコライザ回路を伝送路上に接続するように前記スイッチング手段により切り替える接続更新設定手段と、
を備えることを特徴とする光ディスク装置。
【請求項８】
光ディスクを回転駆動する駆動源と、
光源及び対物レンズを有して前記光ディスクにレーザ光を照射するとともに前記光ディスクからの反射光を受光する光ピックアップと、
前記反射光に基づく再生信号の伝送路上に並列に配置されてそのイコライザ特性中の周波数特性が１段階ずつ異ならせて設定された複数のイコライザ回路と、
これらのイコライザの何れか一つのみを前記伝送路上に接続して他を伝送路上から切り離すスイッチング手段と、
これらのイコライザ回路に対して前記スイッチング手段により周波数特性が一番低いイコライザ回路を伝送路上に接続し他のイコライザ回路を伝送路上から切り離す接続初期設定手段と、
伝送路上に接続されているイコライザ回路とこのイコライザ回路に対して周波数特性が１段階高いイコライザ回路とから整形されて出力される再生信号の平均エラーレベル同士を比較する比較手段と、
比較の結果、これらの平均エラーレベルの差が閾値範囲内に収まったことが検出された時点で、周波数特性が１段階高い当該イコライザ回路を伝送路上に接続するように前記スイッチング手段により切り替える接続更新設定手段と、
を備えることを特徴とする光ディスク装置。
【請求項９】
光ディスクを回転駆動する駆動源と、
光源及び対物レンズを有して前記光ディスクにレーザ光を照射するとともに前記光ディスクからの反射光を受光する光ピックアップと、
前記反射光に基づく再生信号の伝送路上に並列に配置されてそのイコライザ特性中の周波数特性が異ならせて設定された複数のイコライザ回路と、
これらのイコライザの何れか一つのみを前記伝送路上に接続して他を伝送路上から切り離すスイッチング手段と、
これらのイコライザ回路に対して前記スイッチング手段により周波数特性が一番低いイコライザ回路を伝送路上に接続し他のイコライザ回路を伝送路上から切り離す接続初期設定手段と、
前記光ディスクから読み取った線速度情報に基づいてイコライザ特性切り替え信号を取得する切り替え信号取得手段と、
前記イコライザ特性切り替え信号が取得されている状態で各イコライザ回路から整形されて出力される出力信号の平均電圧レベル同士を比較する比較手段と、
比較の結果、最良の平均電圧レベル値が検出されたイコライザ回路を伝送路上に接続するように前記スイッチング手段により切り替える接続更新設定手段と、
を備えることを特徴とする光ディスク装置。
【請求項１０】
光ディスクを回転駆動する駆動源と、
光源及び対物レンズを有して前記光ディスクにレーザ光を照射するとともに前記光ディスクからの反射光を受光する光ピックアップと、
前記反射光に基づく再生信号の伝送路上に並列に配置されてそのイコライザ特性中の周波数特性が異ならせて設定された複数のイコライザ回路と、
これらのイコライザの何れか一つのみを前記伝送路上に接続して他を伝送路上から切り離すスイッチング手段と、
これらのイコライザ回路に対して前記スイッチング手段により周波数特性が一番低いイコライザ回路を伝送路上に接続し他のイコライザ回路を伝送路上から切り離す接続初期設定手段と、
前記光ディスクから読み取った線速度情報に基づいてイコライザ特性切り替え信号を取得する切り替え信号取得手段と、
前記イコライザ特性切り替え信号が取得されている状態で各イコライザ回路から整形されて出力される再生信号の平均エラーレベル同士を比較する比較手段と、
比較の結果、最良の平均エラーレベルが検出されたイコライザ回路を伝送路上に接続するように前記スイッチング手段により切り替える接続更新設定手段と、
を備えることを特徴とする光ディスク装置。
【請求項１１】
光ディスクを回転駆動する駆動源と、
光源及び対物レンズを有して前記光ディスクにレーザ光を照射するとともに前記光ディスクからの反射光を受光する光ピックアップと、
前記反射光に基づく再生信号の伝送路上に並列に配置されてそのイコライザ特性中の周波数特性が異ならせて設定された複数のイコライザ回路と、
これらのイコライザの何れか一つのみを前記伝送路上に接続して他を伝送路上から切り離すスイッチング手段と、
これらのイコライザ回路に対して前記スイッチング手段により周波数特性が一番低いイコライザ回路を伝送路上に接続し他のイコライザ回路を伝送路上から切り離す接続初期設定手段と、
各イコライザ回路から整形されて出力される出力信号の平均電圧レベル同士を比較する比較手段と、
比較の結果、最良の平均電圧レベル値が検出されたイコライザ回路を伝送路上に接続するように前記スイッチング手段により切り替える接続更新設定手段と、
を備えることを特徴とする光ディスク装置。
【請求項１２】
光ディスクを回転駆動する駆動源と、
光源及び対物レンズを有して前記光ディスクにレーザ光を照射するとともに前記光ディスクからの反射光を受光する光ピックアップと、
前記反射光に基づく再生信号の伝送路上に並列に配置されてそのイコライザ特性中の周波数特性が異ならせて設定された複数のイコライザ回路と、
これらのイコライザの何れか一つのみを前記伝送路上に接続して他を伝送路上から切り離すスイッチング手段と、
これらのイコライザ回路に対して前記スイッチング手段により周波数特性が一番低いイコライザ回路を伝送路上に接続し他のイコライザ回路を伝送路上から切り離す接続初期設定手段と、
各イコライザ回路から整形されて出力される再生信号の平均エラーレベル同士を比較する比較手段と、
比較の結果、最良の平均エラーレベルが検出されたイコライザ回路を伝送路上に接続するように前記スイッチング手段により切り替える接続更新設定手段と、
を備えることを特徴とする光ディスク装置。
【請求項１３】
前記駆動源は、前記光ディスクをＣＡＶ方式により回転駆動することを特徴とする請求項１ないし１２の何れか一記載の光ディスク装置。
【発明の詳細な説明】
【０００１】
【発明の属する技術分野】
本発明は、イコライザ回路を備える光ディスク装置に関する。
【０００２】
【従来の技術】
図１１を参照して光ディスク装置における情報再生系の構成例を説明する。ＣＤのような光ディスク１においては、データはピットとして記録されている。倍速を段階的に変速できるスピンドルモータ２をモータドライバ３により駆動させることにより、光ディスク１を所定の速度で回転させることができる。また、光ピックアップ４は半導体レーザや対物レンズなどを備えており、その半導体レーザの発光をレーザコントローラ５で制御しながら、光ディスク１にレーザ光を照射し、光ディスク１からの反射光を受光する。
【０００３】
ここに、データの再生は、回転させている光ディスク１にレーザ光を照射しピットの有無による反射光の強弱を受光素子で検出して得られる再生信号（ＲＦ信号）を再生信号処理手段６に取り込むことにより行われる。なお、この信号処理系中には、全体を制御するＣＰＵ７やＣＰＵ７に基づいてモータドライバ３やレーザコントローラ５等を制御する制御信号処理手段８等が設けられている。また、ＣＰＵ７にはインターフェース９を介してＰＣ１０やメモリ１１等が接続されている。
【０００４】
前述のピットには基本周期（１Ｔ）の３倍（３Ｔ）から１１倍（１１Ｔ）のピット長が定められているが、ピット形状やレーザスポット径の影響から、ピット長の短いものは長いものに比べてＲＦ信号の振幅が小さくなってしまう。言い換えれば、周波数の高い部分ではＲＦ信号の振幅が小さくなる。振幅の小さいデータはノイズなどの影響を受け易いため、２値化の際にデータの誤検出が発生する。正常にデータを読み取るためには、ＲＦ信号の振幅が小さくなってしまう部分の周波数を増幅させるフィルタが必要であり、そのためにイコライザ回路１２が再生系回路中に設けられている。
【０００５】
イコライザ回路１２の周波数特性をグラフにして示すと図１２のようになる。イコライザ回路１２はブースト周波数ａ，ｂ，…、ブースト量ａ，ｂ，…といったイコライザ特性を持ち、イコライザ制御手段１３によりイコライザ回路１２内の設定を切り替えることにより、増幅させたい周波数帯域とその増幅量を各々段階的に変更することが可能である。
【０００６】
ところで、光ディスク１の回転を制御する方式としては、光ディスク１面上での線速度を一定にするＣＬＶ（Ｃｏｎｓｔａｎｔ  Ｌｉｎｅａｒ  Ｖｅｌｏｃｉｔｙ）方式と、スピンドルモータ２の回転速度を一定にするＣＡＶ（Ｃｏｎｓｔａｎｔ  Ａｎｇｕｌａｒ  Ｖｅｌｏｃｉｔｙ）方式があり、光ディスク１の情報を高速に読み取るには後者ＣＡＶ方式の方が有利である。しかし、前者のＣＬＶ方式ではデータの転送速度が一定であるのでイコライザ特性の制御を行う必要はないのに対して、後者のＣＡＶ方式では光ディスク１の外周になるほどにデータ転送速度が上がっていくため、速度の変化に応じてイコライザ回路１２のイコライザ特性も変化させる必要がある。
【０００７】
このように従来から光ディスク装置における情報再生系においては、光ディスク１から読み取った信号をイコライザ回路１２を通して整形した後にデータの再生処理を施している。そのためイコライザ特性の設定は再生品質に大きく関わってくる要素であり、エラー発生時などにイコライザ特性設定を変更して再生品質の向上を試みる手段が提案されており、例えば特許文献１がある。特許文献１による提案は、再生処理中の光ディスクに局所的な傷などがあった場合に、信号の伝送路上に並列に配置された複数のイコライザ回路を次々に切り替えながらリトライ動作を行って、その中から最適なものを選び出して信号の伝送路につなぐといったものである。
【０００８】
また、従来、ＣＡＶ方式で再生中のイコライザ特性の設定変更は、予め決められて光ディスク装置のメモリ１１等に保存されている組合せの中から、回転中の光ディスク１から得る線速度情報に基づいて最適な設定を選ぶことにより行うようにしたものもある。
【０００９】
【特許文献１】
特開２００２−３２４３５８公報
【００１０】
【発明が解決しようとする課題】
ところが、特許文献１の場合、局所的な傷があるといった特別な場合に限定されてしまうものである。
【００１１】
また、後者の方法では実際にイコライザ回路１２を通って整形されたＲＦ信号を基準にしていないため、図１３の太線部に示すように、まだ十分なイコライズ性能を得ることができない状態の次のイコライザ特性への設定に切り替わってしまい、図１４のように設定切り替え後にむしろ再生能力が下がってしまってエラーが増加してしまうことがある。
【００１２】
本発明の目的は、局所的な傷があるといったような特別な場合に限らず、光ディスクに記録された情報を再生中において、イコライザ設定を切り替える際に起こり得る再生能力の低下を未然に防ぐことができ、高品質な再生が可能な光ディスク装置を提供することである。
【００１３】
さらには、本発明の目的は、イコライザ設定の切り替えが遅れることによる再生能力の低下を未然に防止できるようにすることである。
【００１４】
【課題を解決するための手段】
請求項１記載の発明は、光ディスクを回転駆動する駆動源と、光源及び対物レンズを有して前記光ディスクにレーザ光を照射するとともに前記光ディスクからの反射光を受光する光ピックアップと、前記反射光に基づく再生信号の伝送路上に並列に配置されて各々独立してイコライザ特性の制御が可能な２つのイコライザ回路と、これらのイコライザのイコライザ特性を制御するイコライザ制御手段と、これらのイコライザの何れか一方のみを前記伝送路上に接続して他方を伝送路上から切り離すスイッチング手段と、これらのイコライザ回路に対して前記イコライザ制御手段によりそのイコライザ特性中の周波数特性を１段階異ならせて設定するとともに前記スイッチング手段により周波数特性が１段階低い方のイコライザ回路を伝送路上に接続し他方のイコライザ回路を伝送路上から切り離す初期設定手段と、前記光ディスクから読み取った線速度情報に基づいてイコライザ特性切り替え信号を取得する切り替え信号取得手段と、前記イコライザ特性切り替え信号が取得されている状態で前記２つのイコライザ回路から整形されて出力される出力信号の平均電圧レベル同士を比較する比較手段と、比較の結果、これらの平均電圧レベルの差が閾値範囲内に収まったことが検出された時点で、伝送路上に接続するイコライザ回路を前記スイッチング手段により切り替えるとともに切り離された側のイコライザ回路の周波数特性を前記イコライザ制御手段により他方よりも１段階高く設定する更新設定手段と、を備える。
【００１５】
従って、イコライザ回路を切り替えることでイコライザ設定を変更してもイコライザ回路通過後の再生信号が同程度のレベルであることが保証されているので、イコライザ設定変更後に再生能力が低下してしまうことを未然に防ぐことができ、高品質な再生の実現が期待できる。また、イコライザ特性切り替え信号が取得されている状態では常に２つのイコライザ回路の出力信号の平均電圧レベル同士を比較し、その差が閾値範囲内に収まり次第、伝送路上に接続するイコライザ回路を切り替えることにより、局所的な傷があるといったような特別な場合に限らず、イコライザ特性の設定変更を適正に行うことができる。
【００１６】
請求項２記載の発明は、光ディスクを回転駆動する駆動源と、光源及び対物レンズを有して前記光ディスクにレーザ光を照射するとともに前記光ディスクからの反射光を受光する光ピックアップと、前記反射光に基づく再生信号の伝送路上に並列に配置されて各々独立してイコライザ特性の制御が可能な２つのイコライザ回路と、これらのイコライザのイコライザ特性を制御するイコライザ制御手段と、これらのイコライザの何れか一方のみを前記伝送路上に接続して他方を伝送路上から切り離すスイッチング手段と、これらのイコライザ回路に対して前記イコライザ制御手段によりそのイコライザ特性中の周波数特性を１段階異ならせて設定するとともに前記スイッチング手段により周波数特性が１段階低い方のイコライザ回路を伝送路上に接続し他方のイコライザ回路を伝送路上から切り離す初期設定手段と、前記光ディスクから読み取った線速度情報に基づいてイコライザ特性切り替え信号を取得する切り替え信号取得手段と、前記イコライザ特性切り替え信号が取得されている状態で前記２つのイコライザ回路から整形されて出力される再生信号の平均エラーレベル同士を比較する比較手段と、比較の結果、これらの平均エラーレベルの差が閾値範囲内に収まったことが検出された時点で、伝送路上に接続するイコライザ回路を前記スイッチング手段により切り替えるとともに切り離された側のイコライザ回路の周波数特性を前記イコライザ制御手段により他方よりも１段階高く設定する更新設定手段と、を備える。
【００１７】
従って、イコライザ回路を切り替えることでイコライザ設定を変更してもイコライザ回路を通過し再生処理後のエラーの平均値が同程度のレベルであることが保証されているので、イコライザ設定変更後に再生能力が低下してしまうことを未然に防ぐことができ、高品質な再生の実現が期待できる。また、イコライザ特性切り替え信号が取得されている状態では常に２つのイコライザ回路を通過し再生処理後の平均エラー同士を比較し、その差が閾値範囲内に収まり次第、伝送路上に接続するイコライザ回路を切り替えることにより、局所的な傷があるといったような特別な場合に限らず、イコライザ特性の設定変更を適正に行うことができる。
【００１８】
請求項３記載の発明は、光ディスクを回転駆動する駆動源と、光源及び対物レンズを有して前記光ディスクにレーザ光を照射するとともに前記光ディスクからの反射光を受光する光ピックアップと、前記反射光に基づく再生信号の伝送路上に並列に配置されて各々独立してイコライザ特性の制御が可能な２つのイコライザ回路と、これらのイコライザのイコライザ特性を制御するイコライザ制御手段と、これらのイコライザの何れか一方のみを前記伝送路上に接続して他方を伝送路上から切り離すスイッチング手段と、これらのイコライザ回路に対して前記イコライザ制御手段によりそのイコライザ特性中の周波数特性を１段階異ならせて設定するとともに前記スイッチング手段により周波数特性が１段階低い方のイコライザ回路を伝送路上に接続し他方のイコライザ回路を伝送路上から切り離す初期設定手段と、前記２つのイコライザ回路から整形されて出力される出力信号の平均電圧レベル同士を比較する比較手段と、比較の結果、これらの平均電圧レベルの差が閾値範囲内に収まったことが検出された時点で、伝送路上に接続するイコライザ回路を前記スイッチング手段により切り替えるとともに切り離された側のイコライザ回路の周波数特性を前記イコライザ制御手段により他方よりも１段階高く設定する更新設定手段と、を備える。
【００１９】
従って、請求項１記載の発明の場合と同様であるが、請求項１記載の発明の場合にはイコライザ特性切り替え信号が出る前に既に次の設定によるイコライズ性能の方がより優れた状態となっている場合もあり、この場合には切り替えが遅れて再生能力が低下してしまう懸念があるが、イコライザ特性切り替え信号に依存せずに２つのイコライザ回路の出力信号の平均電圧レベル同士の比較結果のみに依存するため、イコライザ回路の切り替え遅れによる再生能力の低下を未然に防止できる。
【００２０】
請求項４記載の発明は、光ディスクを回転駆動する駆動源と、光源及び対物レンズを有して前記光ディスクにレーザ光を照射するとともに前記光ディスクからの反射光を受光する光ピックアップと、前記反射光に基づく再生信号の伝送路上に並列に配置されて各々独立してイコライザ特性の制御が可能な２つのイコライザ回路と、これらのイコライザのイコライザ特性を制御するイコライザ制御手段と、これらのイコライザの何れか一方のみを前記伝送路上に接続して他方を伝送路上から切り離すスイッチング手段と、これらのイコライザ回路に対して前記イコライザ制御手段によりそのイコライザ特性中の周波数特性を１段階異ならせて設定するとともに前記スイッチング手段により周波数特性が１段階低い方のイコライザ回路を伝送路上に接続し他方のイコライザ回路を伝送路上から切り離す初期設定手段と、前記２つのイコライザ回路から整形されて出力される再生信号の平均エラーレベル同士を比較する比較手段と、比較の結果、これらの平均エラーレベルの差が閾値範囲内に収まったことが検出された時点で、伝送路上に接続するイコライザ回路を前記スイッチング手段により切り替えるとともに切り離された側のイコライザ回路の周波数特性を前記イコライザ制御手段により他方よりも１段階高く設定する更新設定手段と、を備える。
【００２１】
従って、請求項２記載の発明の場合と同様であるが、請求項２記載の発明の場合にはイコライザ特性切り替え信号が出る前に既に次の設定によるイコライズ性能の方がより優れた状態となっている場合もあり、この場合には切り替えが遅れて再生能力が低下してしまう懸念があるが、イコライザ特性切り替え信号に依存せずに２つのイコライザ回路を通過し再生処理後の平均エラー同士の比較結果のみに依存するため、イコライザ回路の切り替え遅れによる再生能力の低下を未然に防止できる。
【００２２】
請求項５記載の発明は、光ディスクを回転駆動する駆動源と、光源及び対物レンズを有して前記光ディスクにレーザ光を照射するとともに前記光ディスクからの反射光を受光する光ピックアップと、前記反射光に基づく再生信号の伝送路上に並列に配置されてそのイコライザ特性中の周波数特性が１段階ずつ異ならせて設定された複数のイコライザ回路と、これらのイコライザの何れか一つのみを前記伝送路上に接続して他を伝送路上から切り離すスイッチング手段と、これらのイコライザ回路に対して前記スイッチング手段により周波数特性が一番低いイコライザ回路を伝送路上に接続し他のイコライザ回路を伝送路上から切り離す接続初期設定手段と、前記光ディスクから読み取った線速度情報に基づいてイコライザ特性切り替え信号を取得する切り替え信号取得手段と、前記イコライザ特性切り替え信号が取得されている状態で伝送路上に接続されているイコライザ回路とこのイコライザ回路に対して周波数特性が１段階高いイコライザ回路とから整形されて出力される出力信号の平均電圧レベル同士を比較する比較手段と、比較の結果、これらの平均電圧レベルの差が閾値範囲内に収まったことが検出された時点で、周波数特性が１段階高い当該イコライザ回路を伝送路上に接続するように前記スイッチング手段により切り替える接続更新設定手段と、を備える。
【００２３】
従って、請求項１記載の発明の場合と同様であるが、２つのイコライザ回路の周波数特性を交互に切り替えて利用するのに対して、予め周波数特性が設定された複数のイコライザ回路を選択利用する場合にも効果的に適用できる。
【００２４】
請求項６記載の発明は、光ディスクを回転駆動する駆動源と、光源及び対物レンズを有して前記光ディスクにレーザ光を照射するとともに前記光ディスクからの反射光を受光する光ピックアップと、前記反射光に基づく再生信号の伝送路上に並列に配置されてそのイコライザ特性中の周波数特性が１段階ずつ異ならせて設定された複数のイコライザ回路と、これらのイコライザの何れか一つのみを前記伝送路上に接続して他を伝送路上から切り離すスイッチング手段と、これらのイコライザ回路に対して前記スイッチング手段により周波数特性が一番低いイコライザ回路を伝送路上に接続し他のイコライザ回路を伝送路上から切り離す接続初期設定手段と、前記光ディスクから読み取った線速度情報に基づいてイコライザ特性切り替え信号を取得する切り替え信号取得手段と、前記イコライザ特性切り替え信号が取得されている状態で伝送路上に接続されているイコライザ回路とこのイコライザ回路に対して周波数特性が１段階高いイコライザ回路とから整形されて出力される再生信号の平均エラーレベル同士を比較する比較手段と、比較の結果、これらの平均エラーレベルの差が閾値範囲内に収まったことが検出された時点で、周波数特性が１段階高い当該イコライザ回路を伝送路上に接続するように前記スイッチング手段により切り替える接続更新設定手段と、を備える。
【００２５】
従って、請求項２記載の発明の場合と同様であるが、２つのイコライザ回路の周波数特性を交互に切り替えて利用するのに対して、予め周波数特性が設定された複数のイコライザ回路を選択利用する場合にも効果的に適用できる。
【００２６】
請求項７記載の発明は、光ディスクを回転駆動する駆動源と、光源及び対物レンズを有して前記光ディスクにレーザ光を照射するとともに前記光ディスクからの反射光を受光する光ピックアップと、前記反射光に基づく再生信号の伝送路上に並列に配置されてそのイコライザ特性中の周波数特性が１段階ずつ異ならせて設定された複数のイコライザ回路と、これらのイコライザの何れか一つのみを前記伝送路上に接続して他を伝送路上から切り離すスイッチング手段と、これらのイコライザ回路に対して前記スイッチング手段により周波数特性が一番低いイコライザ回路を伝送路上に接続し他のイコライザ回路を伝送路上から切り離す接続初期設定手段と、伝送路上に接続されているイコライザ回路とこのイコライザ回路に対して周波数特性が１段階高いイコライザ回路とから整形されて出力される出力信号の平均電圧レベル同士を比較する比較手段と、比較の結果、これらの平均電圧レベルの差が閾値範囲内に収まったことが検出された時点で、周波数特性が１段階高い当該イコライザ回路を伝送路上に接続するように前記スイッチング手段により切り替える接続更新設定手段と、を備える。
【００２７】
従って、請求項３記載の発明の場合と同様であるが、２つのイコライザ回路の周波数特性を交互に切り替えて利用するのに対して、予め周波数特性が設定された複数のイコライザ回路を選択利用する場合にも効果的に適用できる。
【００２８】
請求項８記載の発明は、光ディスクを回転駆動する駆動源と、光源及び対物レンズを有して前記光ディスクにレーザ光を照射するとともに前記光ディスクからの反射光を受光する光ピックアップと、前記反射光に基づく再生信号の伝送路上に並列に配置されてそのイコライザ特性中の周波数特性が１段階ずつ異ならせて設定された複数のイコライザ回路と、これらのイコライザの何れか一つのみを前記伝送路上に接続して他を伝送路上から切り離すスイッチング手段と、これらのイコライザ回路に対して前記スイッチング手段により周波数特性が一番低いイコライザ回路を伝送路上に接続し他のイコライザ回路を伝送路上から切り離す接続初期設定手段と、伝送路上に接続されているイコライザ回路とこのイコライザ回路に対して周波数特性が１段階高いイコライザ回路とから整形されて出力される再生信号の平均エラーレベル同士を比較する比較手段と、比較の結果、これらの平均エラーレベルの差が閾値範囲内に収まったことが検出された時点で、周波数特性が１段階高い当該イコライザ回路を伝送路上に接続するように前記スイッチング手段により切り替える接続更新設定手段と、を備える。
【００２９】
従って、請求項４記載の発明の場合と同様であるが、２つのイコライザ回路の周波数特性を交互に切り替えて利用するのに対して、予め周波数特性が設定された複数のイコライザ回路を選択利用する場合にも効果的に適用できる。
【００３０】
請求項９記載の発明は、光ディスクを回転駆動する駆動源と、光源及び対物レンズを有して前記光ディスクにレーザ光を照射するとともに前記光ディスクからの反射光を受光する光ピックアップと、前記反射光に基づく再生信号の伝送路上に並列に配置されてそのイコライザ特性中の周波数特性が異ならせて設定された複数のイコライザ回路と、これらのイコライザの何れか一つのみを前記伝送路上に接続して他を伝送路上から切り離すスイッチング手段と、これらのイコライザ回路に対して前記スイッチング手段により周波数特性が一番低いイコライザ回路を伝送路上に接続し他のイコライザ回路を伝送路上から切り離す接続初期設定手段と、前記光ディスクから読み取った線速度情報に基づいてイコライザ特性切り替え信号を取得する切り替え信号取得手段と、前記イコライザ特性切り替え信号が取得されている状態で各イコライザ回路から整形されて出力される出力信号の平均電圧レベル同士を比較する比較手段と、比較の結果、最良の平均電圧レベル値が検出されたイコライザ回路を伝送路上に接続するように前記スイッチング手段により切り替える接続更新設定手段と、を備える。
【００３１】
従って、請求項１記載の発明の場合と同様であるが、２つのイコライザ回路の周波数特性を交互に切り替えて利用するのに対して、予め周波数特性が設定された複数のイコライザ回路を選択利用する場合にも効果的に適用できる。
【００３２】
請求項１０記載の発明は、光ディスクを回転駆動する駆動源と、光源及び対物レンズを有して前記光ディスクにレーザ光を照射するとともに前記光ディスクからの反射光を受光する光ピックアップと、前記反射光に基づく再生信号の伝送路上に並列に配置されてそのイコライザ特性中の周波数特性が異ならせて設定された複数のイコライザ回路と、これらのイコライザの何れか一つのみを前記伝送路上に接続して他を伝送路上から切り離すスイッチング手段と、これらのイコライザ回路に対して前記スイッチング手段により周波数特性が一番低いイコライザ回路を伝送路上に接続し他のイコライザ回路を伝送路上から切り離す接続初期設定手段と、前記光ディスクから読み取った線速度情報に基づいてイコライザ特性切り替え信号を取得する切り替え信号取得手段と、前記イコライザ特性切り替え信号が取得されている状態で各イコライザ回路から整形されて出力される再生信号の平均エラーレベル同士を比較する比較手段と、比較の結果、最良の平均エラーレベルが検出されたイコライザ回路を伝送路上に接続するように前記スイッチング手段により切り替える接続更新設定手段と、を備える。
【００３３】
従って、請求項２記載の発明の場合と同様であるが、２つのイコライザ回路の周波数特性を交互に切り替えて利用するのに対して、予め周波数特性が設定された複数のイコライザ回路を選択利用する場合にも効果的に適用できる。
【００３４】
請求項１１記載の発明は、光ディスクを回転駆動する駆動源と、光源及び対物レンズを有して前記光ディスクにレーザ光を照射するとともに前記光ディスクからの反射光を受光する光ピックアップと、前記反射光に基づく再生信号の伝送路上に並列に配置されてそのイコライザ特性中の周波数特性が異ならせて設定された複数のイコライザ回路と、これらのイコライザの何れか一つのみを前記伝送路上に接続して他を伝送路上から切り離すスイッチング手段と、これらのイコライザ回路に対して前記スイッチング手段により周波数特性が一番低いイコライザ回路を伝送路上に接続し他のイコライザ回路を伝送路上から切り離す接続初期設定手段と、各イコライザ回路から整形されて出力される出力信号の平均電圧レベル同士を比較する比較手段と、比較の結果、最良の平均電圧レベル値が検出されたイコライザ回路を伝送路上に接続するように前記スイッチング手段により切り替える接続更新設定手段と、を備える。
【００３５】
従って、請求項３記載の発明の場合と同様であるが、２つのイコライザ回路の周波数特性を交互に切り替えて利用するのに対して、予め周波数特性が設定された複数のイコライザ回路を選択利用する場合にも効果的に適用できる。
【００３６】
請求項１２記載の発明は、光ディスクを回転駆動する駆動源と、光源及び対物レンズを有して前記光ディスクにレーザ光を照射するとともに前記光ディスクからの反射光を受光する光ピックアップと、前記反射光に基づく再生信号の伝送路上に並列に配置されてそのイコライザ特性中の周波数特性が異ならせて設定された複数のイコライザ回路と、これらのイコライザの何れか一つのみを前記伝送路上に接続して他を伝送路上から切り離すスイッチング手段と、これらのイコライザ回路に対して前記スイッチング手段により周波数特性が一番低いイコライザ回路を伝送路上に接続し他のイコライザ回路を伝送路上から切り離す接続初期設定手段と、各イコライザ回路から整形されて出力される再生信号の平均エラーレベル同士を比較する比較手段と、比較の結果、最良の平均エラーレベルが検出されたイコライザ回路を伝送路上に接続するように前記スイッチング手段により切り替える接続更新設定手段と、を備える。
【００３７】
従って、請求項４記載の発明の場合と同様であるが、２つのイコライザ回路の周波数特性を交互に切り替えて利用するのに対して、予め周波数特性が設定された複数のイコライザ回路を選択利用する場合にも効果的に適用できる。
【００３８】
請求項１３記載の発明は、請求項１ないし１２の何れか一記載の光ディスク装置において、前記駆動源は、前記光ディスクをＣＡＶ方式により回転駆動する。
【００３９】
従って、光ディスクの外周側ほどデータ転送速度が速くなるＣＡＶ方式の場合に請求項１ないし１２記載の発明を効果的に作用させることができる。
【００４０】
【発明の実施の形態】
本発明の第一の実施の形態を図１ないし図４に基づいて説明する。なお、光ディスク装置全体の再生系の構成については図１１に示した構成例を参照するものとする。即ち、光ディスク１を回転駆動する駆動源としてのスピンドルモータ２や、光源（半導体レーザ）や対物レンズや受光素子などを備えて光ディスク１にレーザ光を照射するとともに光ディスク１からの反射光を受光し再生信号ＲＦを得る光ピックアップ４などを備える構成は従来通りである。ここに、本実施の形態では、スピンドルモータ２の回転速度は一定であり、光ディスク１をＣＡＶ（Ｃｏｎｓｔａｎｔ  Ａｎｇｕｌａｒ  Ｖｅｌｏｃｉｔｙ）方式で回転させるものとする。
【００４１】
まず、光ピックアップ４の受光素子から得られる再生信号（ＲＦ信号）の伝送路上には、２つのイコライザ回路２１Ａ，２１Ｂが並列に配置され、スイッチング手段２２を介して再生信号処理手段６に接続されている。２つのイコライザ回路２１Ａ，２１Ｂは、イコライザ特性として、ともに図２に示すような周波数特性を持つ同一性能の回路であり、外部のイコライザ制御手段１３からのイコライザ特性制御信号によって周波数特性を段階的に切り替え可能なものである。例えば、図２中に示す設定▲１▼、設定▲２▼、設定▲３▼、…といったように、増幅させたい狙いの周波数帯域を順次高くしていく、といった制御が可能である。この際、２つのイコライザ回路２１Ａ，２１Ｂは、各々独立してイコライザ特性の制御が可能とされている。また、スイッチング手段２２はアナログスイッチ等により構成され、イコライザ回路切り替え信号に基づき２つのイコライザ回路２１Ａ，２１Ｂ中の何れか一方のみを再生信号処理手段６に接続（伝送路上に接続）し、他方を再生信号処理手段６から切り離す（伝送路上から切り離す）ように接続状態を切り替える。イコライザ制御手段１３は、光ディスク１から読み取った時間情報（線速度情報）に基づいてイコライザ特性切り替え信号を取得する切り替え信号取得手段の機能も果たす。再生信号処理手段６はイコライザ回路２１Ａ又は２１Ｂにより整形されたＲＦ信号から光ディスク１に記録されている映像や音楽などのデータと時間情報とを復元（再生）するためのものである。
【００４２】
また、２つのイコライザ回路２１Ａ，２１Ｂの出力側には、これらのイコライザ回路２１Ａ，２１Ｂを通過することで整形されて出力される出力信号の平均電圧レベル同士を常に比較し、その差が予め設定されている閾値に従い所定の閾値範囲内に収まるか否かを判定する信号電圧比較手段２３が設けられている。この比較・判定の結果に基づき、スイッチング手段２２に対してイコライザ回路切り替え信号を出力して、伝送路上に対する２つのイコライザ回路２１Ａ，２１Ｂの接続状態の切り替えに供する。
【００４３】
このような構成の下、再生動作時にＣＰＵ７により実行される本実施の形態の場合のイコライザ制御動作例を図３に示す概略フローチャートを参照しながら説明する。
【００４４】
まず、光ディスク１がマウントされると、設定された再生速度に従い、イコライザ制御手段１３を通じてイコライザ回路２１Ａ，２１Ｂ（回路Ａ，Ｂ）の周波数特性を１段階異ならせて設定し、かつ、その周波数特性の低い方のイコライザ回路２１Ａ又は２１Ｂをスイッチング手段２２によって伝送路上に接続状態とし、他方を伝送路上から切り離す（ステップＳ１）。ここでは、説明の便宜上、再生開始時には、イコライザ回路２１Ａ（回路Ａ）の周波数特性が図２中の設定▲１▼、イコライザ回路２１Ｂ（回路Ｂ）の周波数特性が図２中の設定▲２▼とされ、イコライザ回路２１Ａ（回路Ａ）側が伝送路上に接続されているものとする。このようなステップＳ１の処理が、初期設定手段の機能として実行される。
【００４５】
このような初期設定に従い、再生動作が実行される（Ｓ２）。このような再生処理中には、常にその時点での光ディスク１面の時間情報（線速度情報）がイコライザ制御手段１３により測定させており、この線速度情報に基づいてイコライザの周波数特性を変更すべき線速度に達したかを監視させる（Ｓ３）。この監視状態で、イコライザの周波数特性を変更すべき線速度に達してイコライザ特性切り替え信号を取得すると（Ｓ３のＹ）、２つのイコライザ回路２１Ａ，２１Ｂから整形されて出力される出力信号の平均電圧レベル同士を信号電圧比較手段２３により比較し、この比較において、これらの平均電圧レベルの差が予め設定された閾値範囲内に収まったか否かを判断する（Ｓ４）。ステップＳ３の処理が切り替え信号取得手段の機能として実行され、ステップＳ４の処理が比較手段の機能として実行される。
【００４６】
このような処理により、イコライザ制御手段１３においてイコライザ特性切り替え信号が取得され（Ｓ３のＹ）、かつ、平均電圧レベルの差が予め設定された閾値範囲内に収まった場合には（Ｓ４のＹ）、信号電圧比較手段２３からスイッチング手段２２に対してイコライザ回路切り替え信号を出力させることにより、切り離されていたイコライザ回路２１Ｂ（回路Ｂ）側を伝送路上に接続状態とし、逆に、伝送路上に接続されていたイコライザ回路２１Ａ（回路Ａ）を切り離すように接続切り替え処理を行わせる（Ｓ５）。併せて、切り離されたイコライザ回路２１Ａ（回路Ａ）側については、その周波数特性をイコライザ制御手段１３により、イコライザ回路２１Ｂ（回路Ｂ）側の周波数特性よりも１段階高い周波数特性、図２の場合であれば、設定▲３▼となるように設定し直す（Ｓ６）。つまり、自身の周波数特性としては２段階高い周波数特性とする（＋２段階の設定）。これらのステップＳ５，Ｓ６の処理が更新設定手段の機能として実行される。この後、Ａ，Ｂを読み替えて（Ｓ７）、再生動作を継続し（Ｓ２）、同様の処理を繰り返す。
【００４７】
図４はこのような処理により、イコライザ回路２１Ａ，２１Ｂ（回路Ａ，Ｂ）の周波数特性が順次更新切り替え設定されていく様子を示す概念図である。
【００４８】
従って、本実施の形態によれば、イコライザ回路２１Ａ，２１Ｂを切り替えることでイコライザ設定を変更してもイコライザ回路通過後の再生信号が同程度のレベルであることが保証されているので、イコライザ設定変更後に再生能力が低下してしまうことを未然に防ぐことができ、高品質な再生の実現が期待できる。また、イコライザ特性切り替え信号が取得されている状態では常に２つのイコライザ回路２１Ａ，２１Ｂの出力信号の平均電圧レベル同士を比較し、その差が閾値範囲内に収まり次第、伝送路上に接続するイコライザ回路２１Ａ又は２１Ｂを切り替えることにより、局所的な傷があるといったような特別な場合に限らず、イコライザ特性の設定変更を適正に行うことができる。
【００４９】
本発明の第二の実施の形態を図５に基づいて説明する。第一の実施の形態で示した部分と同一部分は同一符号を用いて示し、説明も省略する（以降の実施の形態でも同様とする）。
【００５０】
本実施の形態では、２つのイコライザ回路２１Ａ，２１Ｂから整形されて出力される出力信号の平均電圧レベル同士の比較に代えて、２つのイコライザ回路２１Ａ，２１Ｂから整形されて出力される再生信号の平均エラーレベル同士の比較を利用するようにしたものであり、イコライザ回路２１Ａ，２１Ｂ毎に再生信号処理手段６Ａ，６Ｂが設けられ、これらの再生信号処理手段６Ａ，６Ｂから出力される再生信号の平均エラーレベル同士を比較する再生信号比較手段２４が設けられており、この再生信号比較手段２４の比較結果の出力として、イコライザ回路切り替え信号が出力されるとスイッチング手段２２がイコライザ回路２１Ａ，２１Ｂの接続状態を切り替える処理を行うように構成されている。
【００５１】
従って、処理制御的にも第一の実施の形態の場合と同様であり、図３に示すフローチャート中のステップＳ４の処理において、２つのイコライザ回路２１Ａ，２１Ｂから整形されて出力される出力信号の平均電圧レベル同士を比較し、その差が閾値範囲内に収まるか否かの判断に代えて、２つのイコライザ回路２１Ａ，２１Ｂから整形されて出力される再生信号の平均エラーレベル同士を比較し、その差が閾値範囲内に収まるか否かの判断とすればよい。
【００５２】
従って、本実施の形態によれば、イコライザ回路２１Ａ，２１Ｂを切り替えることでイコライザ設定を変更してもイコライザ回路を通過し再生処理後のエラーの平均値が同程度のレベルであることが保証されているので、イコライザ設定変更後に再生能力が低下してしまうことを未然に防ぐことができ、高品質な再生の実現が期待できる。また、イコライザ特性切り替え信号が取得されている状態では常に２つのイコライザ回路２１Ａ，２１Ｂを通過し再生処理後の平均エラーレベル同士を比較し、その差が閾値範囲内に収まり次第、伝送路上に接続するイコライザ回路２１Ａ又は２１Ｂを切り替えることにより、局所的な傷があるといったような特別な場合に限らず、イコライザ特性の設定変更を適正に行うことができる。
【００５３】
本発明の第三の実施の形態を図６ないし図９に基づいて説明する。
【００５４】
本実施の形態の説明に先立ち、第一の実施の形態の場合の処理例について検討する。この処理例の場合、例えば図６中の太線部（使用される部分）、特にその３番目に示すように、線速度情報に基づきイコライザ特性切り替え信号が出る以前に、既に次の設定によるイコライズ性能の方がより優れた状態になってしまっている場合があり得る。この状態では、図７に示すようにイコライザ設定変更前に再生能力が下がりエラーが増加してしまうことになる。
【００５５】
このような点を考慮し、本実施の形態では、イコライザ特性切り替え信号が出ていない状態であっても、２つのイコライザ回路２１Ａ，２１Ｂから得られる平均電圧レベルの差が一定の閾値範囲内に収まったことを検出した上で伝送路上につなぐイコライザ回路を切り替えるようにしたものである。
【００５６】
このため、本実施の形態では、図８に示すように構成されている。図１との対比では、イコライザ制御手段１３からのイコライザ特性切り替え信号が無効とされている。
【００５７】
また、本実施の形態の処理制御例としては、図９に示すようになる。即ち、図３との対比では、ステップＳ３の処理が省略されており、線速度情報に基づくイコライザ特性切り替え信号に依存しない制御処理とされている。そして、２つのイコライザ回路２１Ａ，２１Ｂ（回路Ａ，Ｂ）から整形されて出力される出力信号の平均電圧レベル同士を常に比較し、比較の結果、これらの平均電圧レベルの差が閾値範囲内に収まったことが検出された時点で、伝送路上に接続するイコライザ回路をスイッチング手段２２により切り替える処理制御とされている。
【００５８】
よって、本実施の形態によれば、イコライザ特性切り替え信号に依存せずに２つのイコライザ回路２１Ａ，２１Ｂの出力信号の平均電圧レベル同士の比較結果のみに依存するため、イコライザ回路２１Ａ，２１Ｂの切り替え遅れによる再生能力の低下を未然に防止することができる。
【００５９】
本発明の第四の実施の形態を図１０に基づいて説明する。本実施の形態は、第二の実施の形態にあっても、第一の実施の形態の場合と同様に、イコライザ回路２１Ａ，２１Ｂの切り替え遅れにより再生能力が低下する懸念がある点を考慮したものである。即ち、本実施の形態では、イコライザ特性切り替え信号が出ていない状態であっても、２つのイコライザ回路２１Ａ，２１Ｂを通過し再生処理後の平均エラーレベルの差が一定の閾値範囲内に収まったことを検出した上で伝送路上につなぐイコライザ回路を切り替えるようにしたものである。
【００６０】
このため、本実施の形態では、図１０に示すように構成されている。図５との対比では、イコライザ制御手段１３からのイコライザ特性切り替え信号が無効とされている。
【００６１】
また、処理制御例は第三の実施の形態で説明した図９に準ずればよい。即ち、図９に示すフローチャート中のステップＳ４の処理において、２つのイコライザ回路２１Ａ，２１Ｂから整形されて出力される出力信号の平均電圧レベル同士を比較し、その差が閾値範囲内に収まるか否かの判断に代えて、２つのイコライザ回路２１Ａ，２１Ｂから整形されて出力される再生信号の平均エラーレベル同士を比較し、その差が閾値範囲内に収まるか否かの判断とすればよい。
【００６２】
よって、本実施の形態によれば、イコライザ特性切り替え信号に依存せずに２つのイコライザ回路２１Ａ，２１Ｂから整形されて出力される再生信号の平均エラーレベル同士の比較結果のみに依存するため、イコライザ回路２１Ａ，２１Ｂの切り替え遅れによる再生能力の低下を未然に防止することができる。
【００６３】
本発明の第五の実施の形態を図１１及び図１２に基づいて説明する。前述した実施の形態では、周波数特性が制御が可能な２つのイコライザ回路２１Ａ，２１Ｂを交互に切り替え利用する例で説明したが、本実施の形態では、予めイコライザ特性中の周波数特性が１段階ずつ異ならせて設定された複数、例えば、３個のイコライザ回路３１Ａ，３１Ｂ，３１Ｃを再生信号の伝送路上に並列に配置させ、これらのイコライザ回路３１Ａ，３１Ｂ，３１Ｃのスイッチング手段３２の切り替え操作により何れか一つのみを伝送路上に接続し他を伝送路から切り離すようにしたものである。例えば、イコライザ回路３１Ａ（回路Ａ）の周波数特性が図２中の設定▲１▼、イコライザ回路３１Ｂ（回路Ｂ）の周波数特性が図２中の設定▲２▼、イコライザ回路３１Ｃ（回路Ｃ）の周波数特性が図２中の設定▲３▼として固定されている。
【００６４】
また、３つのイコライザ回路３１Ａ，３１Ｂ，３１Ｃの出力側には、これらのイコライザ回路３１Ａ，３１Ｂ，３１Ｃを通過することで整形されて出力される出力信号の平均電圧レベル同士を２個ずつ順に常に比較し、その差が予め設定されている閾値に従い所定の閾値範囲内に収まるか否かを判定する信号電圧比較手段３３が設けられている。この比較・判定の結果に基づき、スイッチング手段３２に対してイコライザ回路切り替え信号を出力して、伝送路上に対する３つのイコライザ回路３１Ａ，３１Ｂ，３１Ｃの接続状態の切り替えに供する。
【００６５】
このような構成の下、再生動作時にＣＰＵ７により実行される本実施の形態の場合のイコライザ制御動作例を図１２に示す概略フローチャートを参照しながら説明する。
【００６６】
まず、光ディスク１がマウントされると、周波数特性の一番低いイコライザ回路３１Ａ（回路Ａ）をスイッチング手段３２によって伝送路上に接続状態とし、他のイコライザ回路３１Ｂ，３１Ｃ（回路Ｂ，Ｃ）を伝送路上から切り離す（ステップＳ１１）。このようなステップＳ１１の処理が、接続初期設定手段の機能として実行される。
【００６７】
このような接続初期設定に従い、再生動作が実行される（Ｓ１２）。このような再生処理中には、常にその時点での光ディスク１面の時間情報（線速度情報）がイコライザ制御手段１３により測定させており、この線速度情報に基づいてイコライザの周波数特性を変更すべき線速度に達したかを監視させる（Ｓ１３）。この監視状態で、イコライザの周波数特性を変更すべき線速度に達してイコライザ特性切り替え信号を取得すると（Ｓ１３のＹ）、接続状態のイコライザ回路３１Ａ（回路Ａ）と周波数特性が１段階高いイコライザ回路３１Ｂ（回路Ｂ）との２つのイコライザ回路３１Ａ，３１Ｂから整形されて出力される出力信号の平均電圧レベル同士を信号電圧比較手段３３により比較し、この比較において、これらの平均電圧レベルの差が予め設定された閾値範囲内に収まったか否かを判断する（Ｓ１４）。ステップＳ１３の処理が切り替え信号取得手段の機能として実行され、ステップＳ１４の処理が比較手段の機能として実行される。
【００６８】
このような処理により、イコライザ制御手段１３においてイコライザ特性切り替え信号が取得され（Ｓ１３のＹ）、かつ、平均電圧レベルの差が予め設定された閾値範囲内に収まった場合には（Ｓ１４のＹ）、信号電圧比較手段３３からスイッチング手段３２に対してイコライザ回路切り替え信号を出力させることにより、切り離されていたイコライザ回路３１Ｂ（回路Ｂ）側を伝送路上に接続状態とし、逆に、伝送路上に接続されていたイコライザ回路３１Ａ（回路Ａ）を切り離すように接続切り替え処理を行わせる（Ｓ１５）。このステップＳ１５の処理が接続更新設手段の機能として実行される。この後、ＢをＡに、ＣをＢに読み替えて（Ｓ１６）、再生動作を継続し（Ｓ１２）、同様の処理を繰り返す。
【００６９】
即ち、イコライザの周波数特性を変更すべき線速度に達してイコライザ特性切り替え信号を取得すると（Ｓ１３のＹ）、接続状態のイコライザ回路３１Ｂ（回路Ｂ）と周波数特性が１段階高いイコライザ回路３１Ｃ（回路Ｃ）との２つのイコライザ回路３１Ｂ，３１Ｃから整形されて出力される出力信号の平均電圧レベル同士を信号電圧比較手段３３により比較し、この比較において、これらの平均電圧レベルの差が予め設定された閾値範囲内に収まったか否かを判断する（Ｓ１４）。
【００７０】
このような処理により、イコライザ制御手段１３においてイコライザ特性切り替え信号が取得され（Ｓ１３のＹ）、かつ、平均電圧レベルの差が予め設定された閾値範囲内に収まった場合には（Ｓ１４のＹ）、信号電圧比較手段３３からスイッチング手段３２に対してイコライザ回路切り替え信号を出力させることにより、切り離されていたイコライザ回路３１Ｃ（回路Ｃ）側を伝送路上に接続状態とし、逆に、伝送路上に接続されていたイコライザ回路３１Ｂ（回路Ｂ）を切り離すように接続切り替え処理を行わせる（Ｓ１５）。
【００７１】
従って、第一の実施の形態の場合と同様であるが、２つのイコライザ回路２１Ａ，２１Ｂの周波数特性を交互に切り替えて利用するのに対して、本実施の形態のように、予め周波数特性が設定された複数のイコライザ回路３１Ａ，３１Ｂ，３１Ｃを選択利用する場合にも効果的に適用できる。なお、イコライザ回路の個数は３個に限らないのはもちろんであり、適宜個数設ければよい。
【００７２】
また、本実施の形態に関しても、第二の実施の形態に準じた方式としてもよい。即ち、各イコライザ回路３１Ａ，３１Ｂ，３１Ｃ毎に再生信号処理手段を設け、出力信号の平均電圧レベル同士の比較に代えて、整形されて出力される再生信号の平均エラーレベル同士の比較としてもよい。また、第四の実施の形態に準じて、イコライザ特性切り替え信号に依存しない方式としてもよいのはもちろんである。
【００７３】
さらには、各イコライザ回路３１Ａ，３１Ｂ，３１Ｃ，…に関して、２つずつの比較に限らず、３つ以上、或いは、全てのイコライザ回路からの出力（平均電圧レベルや平均エラーレベル）の比較により、最良の出力を示すイコライザ回路を選択して伝送路上に接続させるようにしてもよい。
【００７４】
【発明の効果】
請求項１記載の発明によれば、イコライザ回路を切り替えることでイコライザ設定を変更してもイコライザ回路通過後の再生信号が同程度のレベルであることが保証されているので、イコライザ設定変更後に再生能力が低下してしまうことを未然に防ぐことができ、高品質な再生の実現が期待でき、また、イコライザ特性切り替え信号が取得されている状態では常に２つのイコライザ回路の出力信号の平均電圧レベル同士を比較し、その差が閾値範囲内に収まり次第、伝送路上に接続するイコライザ回路を切り替えることにより、局所的な傷があるといったような特別な場合に限らず、イコライザ特性の設定変更を適正に行うことができる。
【００７５】
請求項２記載の発明によれば、イコライザ回路を切り替えることでイコライザ設定を変更してもイコライザ回路を通過し再生処理後のエラーの平均値が同程度のレベルであることが保証されているので、イコライザ設定変更後に再生能力が低下してしまうことを未然に防ぐことができ、高品質な再生の実現が期待でき、また、イコライザ特性切り替え信号が取得されている状態では常に２つのイコライザ回路を通過し再生処理後の平均エラー同士を比較し、その差が閾値範囲内に収まり次第、伝送路上に接続するイコライザ回路を切り替えることにより、局所的な傷があるといったような特別な場合に限らず、イコライザ特性の設定変更を適正に行うことができる。
【００７６】
請求項３記載の発明によれば、請求項１記載の発明の場合と同様の効果を奏するが、特に、イコライザ特性切り替え信号に依存せずに２つのイコライザ回路の出力信号の平均電圧レベル同士の比較結果のみに依存するため、イコライザ回路の切り替え遅れによる再生能力の低下を未然に防止することができる。
【００７７】
請求項４記載の発明によれば、請求項２記載の発明の場合と同様の効果を奏するが、特に、イコライザ特性切り替え信号に依存せずに２つのイコライザ回路を通過し再生処理後の平均エラー同士の比較結果のみに依存するため、イコライザ回路の切り替え遅れによる再生能力の低下を未然に防止することができる。
【００７８】
請求項５ないし１２記載の発明によれば、各々請求項１ないし４記載の発明の場合と同様の効果を奏するが、特に、２つのイコライザ回路の周波数特性を交互に切り替えて利用するのに対して、予め周波数特性が設定された複数のイコライザ回路を選択利用する場合に効果的に適用することができる。
【００７９】
請求項１３記載の発明によれば、光ディスクの外周側ほどデータ転送速度が速くなるＣＡＶ方式の場合に請求項１ないし１２記載の発明を効果的に作用させることができる。
【図面の簡単な説明】
【図１】本発明の第一の実施の形態を示すイコライザ回路周辺の概略構成図である。
【図２】２つのイコライザ回路の周波数特性図である。
【図３】再生時の処理制御例を示す概略フローチャートである。
【図４】イコライザ特性が切り替え設定されていく様子を示す概念図である。
【図５】本発明の第二の実施の形態を示すイコライザ回路周辺の概略構成図である。
【図６】イコライザ回路切り替えが遅い場合のイコライザ特性の切り替えの様子を示す概念図である。
【図７】その場合の再生時エラーの様子を示す特性図である。
【図８】本発明の第三の実施の形態を示すイコライザ回路周辺の概略構成図である。
【図９】再生時の処理制御例を示す概略フローチャートである。
【図１０】本発明の第四の実施の形態を示すイコライザ回路周辺の概略構成図である。
【図１１】本発明の第五の実施の形態を示すイコライザ回路周辺の概略構成図である。
【図１２】再生時の処理制御例を示す概略フローチャートである。
【図１３】一般的な光ディスク装置の再生系を示す概略構成図である。
【図１４】イコライザ回路の周波数特性図である。
【図１５】イコライザ回路切り替えが早い場合のイコライザ特性の切り替えの様子を示す概念図である。
【図１６】その場合の再生時エラーの様子を示す特性図である。
【符号の説明】
１      光ディスク
２      駆動源
４      光ピックアップ
１３      イコライザ制御手段
２１Ａ，２１Ｂ      イコライザ回路
２２      スイッチング手段
２３，２４      比較手段
３１Ａ，３１Ｂ，３１Ｃ      イコライザ回路
３２      スイッチング手段
３３      比較手段
【図１】
2005050408.tif 000003
【図２】
2005050408.tif 000004
【図３】
2005050408.tif 000005
【図４】
2005050408.tif 000006
【図５】
2005050408.tif 000007
【図６】
2005050408.tif 000008
【図７】
2005050408.tif 000009
【図８】
2005050408.tif 000010
【図９】
2005050408.tif 000011
【図１０】
2005050408.tif 000012
【図１１】
2005050408.tif 000013
【図１２】
2005050408.tif 000014
【図１３】
2005050408.tif 000015
【図１４】
2005050408.tif 000016
【図１５】
2005050408.tif 000017
【図１６】
2005050408.tif 000018